(57)【特許請求の範囲】
【請求項１】
粘着テープを回転自在に保持する保持部と、保持部から引き出された粘着テープを切断する切断部を有し、該切断部は、固定されたテープ切断刃と、テープ切断刃に対し相対的に移動可能に設けられ切断刃の全部または一部を覆うカバー部から成り、
前記保持部から引き出された粘着テープを前記カバー部にあてがうと、前記カバー部が前記テープ切断刃に対し相対的に移動して前記カバー部に覆われていた前記テープ切断刃が現れて前記粘着テープが切断され、前記粘着テープが切断された後は、前記カバー部が前記テープ切断刃に対し相対的に移動して前記テープ切断刃が前記カバー部に覆われる、
ことを特徴とするテープカッター。
【請求項２】
前記切断部は保持部の上部に設けられ、粘着テープを垂直方向に分離切断することを特徴とする請求項１に記載のテープカッター。
【発明の詳細な説明】
【  ０００１  】
【  発明の属する技術分野  】
本発明は、企業や家庭において広く使用される粘着テープを保持するホルダーに関し、該ホルダーにおいて同時にテープを切断する機能を有するテープカッターの技術に関する。
【０００２】
【  従来の技術  】
従来のセロファンテープ等は、テープ単体で使用することもあるが、大部分はテープ自体にカッター刃を設けたり、ホルダー内に巻回したテープを回転自在に収納し、ホルダー端部に切断刃を固定して設けたものが知られている。このいずれの場合にも、使用者がテープを引き出し、刃の部分に粘着面側をあてがい、テープを下方向に引っ張って引き裂くようにして切断する。
【０００３】
【  発明が解決しようとする課題  】
従来のテープカッターにおいては、いずれもテープ切断刃が外部に露出しており、危険を避けるため切断刃は鋭利なものを用いることができず、手が触れても傷をつけないような比較的に平坦なギザギザな波形形状を有する刃を用いることが一般的であり、切断のためにかなりの力を要する問題がある。このため指が刃にあたって傷をつけることもある。更に従来のテープカッターは、その構造上テープを下方向に引っ張るのみならず、ひねりを加えながら引き裂くため、使用方向が限定され、テープカッターが安定せず、片手のみで切り取るには難があるなどの問題があった。本発明は、これらの従来のテープカッターの問題を解決することを課題とする。
【０００４】
本発明によれば、上記した課題は、次の手段によって解決される。
第１の発明は、粘着テープを回転自在に保持する保持部と、保持部から引き出された粘着テープを切断する切断部を有し、該切断部は、固定されたテープ切断刃と、テープ切断刃に対し相対的に移動可能に設けられ切断刃の全部または一部を覆うカバー部から成り、  前記保持部から引き出された粘着テープを前記カバー部にあてがうと、前記カバー部が前記テープ切断刃に対し相対的に移動して前記カバー部に覆われていた前記テープ切断刃が現れて前記粘着テープが切断され、前記粘着テープが切断された後は、前記カバー部が前記テープ切断刃に対し相対的に移動して前記テープ切断刃が前記カバー部に覆われる、ことを特徴とするテープカッターである。
第２の発明は、前記切断部は保持部の上部に設けられ、粘着テープを垂直方向に分離切断することを特徴とする第１の発明に係るテープカッターである。
【０００５】
【  発明の実施の形態  】
本発明の実施の形態においての基本的な構造は、テープ切断部が、固定されたテープ切断刃と、テープ切断刃に対し相対的に移動可能に設けられ切断刃の全部または一部を覆うカバー部から成る点にある。実施例においては、該テープ切断部がテープ保持部（以下供給部ともいう）の上部に設けられたものを望ましい構造とするが、他にテープ保持部とテープ切断部が水平方向に設けられたもの、またこれらのいずれの位置においても使用可能なものを含む。
【０００６】
図１は本発明の第１の実施例の外観図、図２はその縦断面図、図３はテープ切断部の断面図で、１はテープ保持部、２はテープ切断部、３は粘着テープであり、粘着テープ３はテープ保持部内に回転自在に設けられている。非使用時には、テープ３はテープ保持部に設けられた供給口４から引き出され、切断部２にその端部が粘着している。切断部２は、図２および図３に示すとおり、テープ保持部１と連結部５を介して一体に固定された切断刃６が設けられている。連結部５にはストッパー７が固定され、このストッパー７と切断刃６の周囲に設けられたカバー９との間にスプリング８が設けられている。カバー９は、テープ非使用時においては、切断刃６をその内部に収納するように構成されており、上記構造によってカバー９は、切断刃６に対し相対的に移動が可能であるため、カバー９が図３右矢印方向に押されると、切断刃６の先端がカバー９の開口部１０から外に現れ、テープ３を切断することができる。図４は、テープ切断部の他の例の垂直方向断面図であり、図５はその水平方向断面図である。この例のように幅が広く、先端が尖った形状の刃を用いることで、テープの一部に切れ目が入ると、極めて容易にテープの切断が可能になる。
【０００７】
この実施例を使用するに際しては、図１に示すテープ保持部１と切断部２との間の空間部１１に指を入れ、テープを指に粘着させて必要量を引き出し、引き出したテープの下方を切断部２のカバー９の前面にあてがうと、カバー９が後退し、刃６が開口部１０から現れてテープを切断する。切断された後は、カバー９が前進して刃６を覆うので、非使用時に刃が外に現れることがないので、刃６は鋭利なものを使用でき、このためテープの切断が極めて容易になり、殆ど力を要せず、単にテープをカバー部９に触れる程度でテープが切断できる。このため、片手で容易に操作が可能であり、テープが垂直方法に引き出されて使用に供されるので、どのような使用の場合にも対応でき、使い勝手がよい。更に図１０のように切断刃の形状を工夫し、図中の矢印部分をテープ幅に相当する刃部分とし、その両側にガードを設けて該部分には刃を設けないようにすることで、テープ切断の際に刃がテープのみを切断するようになっている。この場合にカバー部の開口部１０の幅をガードの幅より狭く構成してガードがカバー部の移動を制限するようにすることで、刃の露出を制限して安全性を確保するようにでき、またガードがカバー部から露出する場合に、手指がガードに当接して刃に当たらないようにすることで、カバー部に手指が当接して移動しても、手指がガード部で守られるので手指に対する安全性がより高い。
【０００８】
切断されたテープの保持部側先端は、カバー９の下端に粘着しているので、次回の使用時には、前記同様指を空間部１１に入れ、テープを前記同様に切断することができる。このように、この実施例では、殆ど力を要せずにテープを切断できるのみならず、刃が非使用時にはカバーで覆われているので、鋭利な刃を用いても怪我の危険が少ない。また、この実施例では、カバーが水平方向に移動するようになっており、非使用時は勿論使用時においても、仮に指がテープカッターの上に触れても、刃が現れることがないので、安全である。
【０００９】
上記の例においては、テープを切断した後、切断後のテープを、カバー９の一部に粘着させたまま滞留させておくことができ、切り取ってすぐに貼り付けをしない場合に便利に用いることができるが、図６、図７に示す他の実施例では、テープ切断後直ちにテープがテープカッターから分離される例を示す。これらのテープ切断部の例では、切断部上部に図６のようにくびれ部３９を設けるか、非接着性樹脂４９を設けることにより、テープ切断後テープが即時にテープカッターから離れるようにすることができるものである。
【００１０】
図８〜図９は、本発明の他の実施例を示す。この実施例では、テープカッター全体が箱形形状をしているため、垂直方向で使用することも、また横に寝かせて水平方向で使用することもできる例である。
【００１１】
２１はテープ保持部、２２はテープ切断部、２３は粘着テープであり、粘着テープ２３はテープ保持部内に回転自在に設けられている。非使用時には、テープ２３はテープ保持部に設けられた供給口２４から引き出され、切断部２２にその端部が粘着している。切断部２２は、図４に示すとおり、テープ保持部２１と連結部２５を介して一体に固定された切断刃２６が設けられている。連結部２５にはストッパー２７が固定され、このストッパー２７と切断刃２６の周囲に設けられたカバー２９との間にスプリング２８が設けられている。カバー２９は、テープ非使用時においては、切断刃２６をその内部に収納するように構成されており、上記構造によってカバー２９は、切断刃２６に対し相対的に移動が可能であるため、カバー２９が同図右方向に押されると、切断刃２６の先端がカバー２９の開口部３０から外に現れ、テープ２３を切断することができる。この実施例を使用する場合は、実施例１にのべたところと同様であるが、この例はテープカッター全体を横に寝かして、水平方向にして用いることができる点が実施例１と異なる。
【００１２】
【発明の効果】
本発明により、刃が非使用時にはカバーで覆われているので、鋭利な刃を用いても怪我の危険が少なく、テープの切断が極めて容易になり、殆ど力を要せず、単にテープをカバー部に触れる程度でテープが切断できるので、片手で容易に切断操作が可能であり、どのような使用の場合にも対応でき、使い勝手がよい。切断されたテープの保持部側先端は、カバーの下端に粘着しているので、次回の使用時にもテープを同様に切断することができる。
【図面の簡単な説明】
【図１】本発明の実施例のテープカッターの外観図
【図２】本発明の実施例のテープカッターの断面図
【図３】本発明の実施例のテープ切断部の断面図
【図４】他の実施例のテープ切断部の垂直断面図
【図５】他の実施例のテープ切断部の水平断面図
【図６】他の実施例のテープ切断部の側面図
【図７】他の実施例のテープ切断部の側面図
【図８】本発明の他の実施例のテープカッターの断面図
【図９】本発明の他の実施例のテープ切断部の断面図
【図１０】本発明の他の実施例のテープ切断部の水平断面図
【符号の説明】
１はテープ保持部
２はテープ切断部
３は粘着テープ
４は供給口
５は連結部
６は切断刃
７はストッパー
８はスプリング
９はカバー
１０は開口部
１１は空間部
【図１】
0003609815.tif 000002
【図２】
0003609815.tif 000003
【図３】
0003609815.tif 000004
【図４】
0003609815.tif 000005
【図５】
0003609815.tif 000006
【図６】
0003609815.tif 000007
【図７】
0003609815.tif 000008
【図８】
0003609815.tif 000009
【図９】
0003609815.tif 000010
【図１０】
0003609815.tif 000011